(57)【要約】【課題】    浴槽内の残り湯の有効利用を図ることができるとともに、簡易な構成によりヒートショックを効果的且つローコストで緩和することが可能な脱衣室床暖房システムを提供すること。【解決手段】    浴室１０の浴槽３０内に連通して、該浴槽３０内の温水を給排水する給排水手段５０と、前記浴室１０近傍の脱衣室２０に設けられ、前記給排水手段５０と接続されて前記浴槽３０内の前記温水を導入することにより、該脱衣室２０の床を暖房する放熱部４０とを有する。【選択図】  図１
2006308201.tif 000002
【特許請求の範囲】
【請求項１】
浴室の浴槽内に連通して、該浴槽内の温水を給排水する給排水手段と、
前記浴室近傍の脱衣室に設けられ、前記給排水手段と接続されて前記浴槽内の前記温水を導入することにより、該脱衣室の床を暖房する放熱部とを有することを特徴とする脱衣室床暖房システム。
【請求項２】
前記給排水手段は、該給排水手段の管路の一部に循環ポンプを備え、該循環ポンプを動作させることによって前記浴槽内の前記温水を前記脱衣室の前記放熱部へと導入するとともに該放熱部に導入した前記温水を前記給排水手段に戻して該給排水手段と前記放熱部との間で前記温水を循環させることを特徴とする請求項１に記載の脱衣室床暖房システム。
【請求項３】
前記放熱部は循環ポンプを備える床暖房装置の一部であり、該循環ポンプを動作させることによって前記浴槽内の前記温水を前記床暖房装置の前記放熱部へと導入するとともに該放熱部に導入した前記温水を前記給排水手段に戻して該給排水手段と前記放熱部との間で前記温水を循環させることを特徴とする請求項１に記載の脱衣室床暖房システム。
【請求項４】
前記温水を供給する給湯装置を備え、
前記給湯装置に内蔵された循環ポンプを動作させることによって、前記浴槽内の前記温水を前記給排水手段を用いて前記脱衣室の前記放熱部へと導入するとともに該放熱部に導入された前記温水を前記給排水手段から該給湯装置へ戻し、該給湯装置と前記放熱部との間で前記温水を循環させることを特徴とする請求項１に記載の脱衣室床暖房システム。
【請求項５】
前記給排水手段は、前記給湯装置と前記浴槽とを連通する浴槽側給排水部と、前記温水を前記脱衣室の前記放熱部に供給する放熱部側給排水部とを備え、前記放熱部側給排水部は、前記浴槽側給排水部の管路の一部に切換弁を介して接続されていることを特徴とする請求項１乃至４のいずれかに記載の脱衣室床暖房システム。
【発明の詳細な説明】
【技術分野】
【０００１】
本発明は、温水を利用した床暖房に関し、特に、浴室内の浴槽に温水を供給する給湯機の温水を熱媒として床暖房に用いる脱衣室床暖房システムに関するものである。
【背景技術】
【０００２】
冬季における脱衣室や浴室の冷え込みと、浴槽内の温水との寒暖の差は、いわゆるヒートショックとして入浴時の人体に急激な血圧変動をもたらし、入浴者に不快感や疲労感を与えるのみならず、高齢者にあっては心筋梗塞や脳出血・脳梗塞を引き起こし、場合によっては突然死等の重大な事故に至ってしまうことがある。このような脱衣室や浴室と、浴槽内の温度との急激な温度変化を緩和してヒートショックの発生を防止すべく、従来から浴室や脱衣室等の床に放熱部を設け、この放熱器から発生する輻射熱と導電熱によって浴室内や脱衣室内を暖房する対策がなされている。
【０００３】
例えば、線状の発熱体としてのコードヒータを該コードヒータの支持体である基板の上面に蛇行形状に埋設し、その基板とコードヒータとの上に均熱板を配置することで、コードヒータに１００Ｖの商用電源を供給することで発せられた熱を浴室の防水パンに均等に伝達するように構成された、電熱ヒータ式の床暖房が知られている（例えば、特許文献１等参照）。
【０００４】
また、追い焚き機能を有する給湯機を用いて、追い焚き時の温水を三方弁で分岐させて放熱部に循環させる構成の温水式床暖房も知られている（例えば、特許文献２等参照）。
【特許文献１】特開平９−４８６４号公報
【特許文献２】特開２００１−３０４６０１号公報
【発明の開示】
【発明が解決しようとする課題】
【０００５】
ところで、入浴に使用した浴槽内の残り湯は大抵翌朝まで放置され、通常、そのまま浴槽から排水溝へと捨てられてしまうか、または洗濯用の給水として利用される程度であり、残り湯は入浴直後では３５℃〜４０℃と比較的高い温度を有しているにもかかわらず、その有効利用が図られていなかった。
【０００６】
一方、脱衣室は浴室に隣接しているにもかかわらず、入浴者が脱衣室を利用する入浴前後の時点でその室内の温度が十分に上昇していない場合が多い。そのため従来ではヒートショックを防止するために、脱衣室の床に別途電熱ヒータや再加熱の必要な温水ヒータによる熱源を設けなければならないので、設備コストが増加してしまうという問題があった。
【０００７】
また、上記の従来技術にあっては、電熱ヒータを動作させたり給湯機を用いて加熱した追い焚き時の温水を放熱部に循環させたりする必要があるため、電熱ヒータや給湯機の運転に伴うランニングコストや省エネルギーの点で不具合がある。
【０００８】
そこで、本発明の目的は、浴槽内の残り湯の有効利用を図ることができるとともに、簡易な構成によりヒートショックを効果的且つローコストで緩和することが可能な脱衣室床暖房システムを提供することにある。
【課題を解決するための手段】
【０００９】
上記した課題を解決するために、請求項１に記載の脱衣室床暖房システムは、浴室の浴槽内に連通して、該浴槽内の温水を給排水する給排水手段と、前記浴室近傍の脱衣室に設けられ、前記給排水手段と接続されて前記浴槽内の前記温水を導入することにより、該脱衣室の床を暖房する放熱部とを有することを特徴とする。
【００１０】
請求項２に記載の脱衣室床暖房システムは、請求項１に記載の脱衣室床暖房システムにおいて、前記給排水手段は、該給排水手段の管路の一部に循環ポンプを備え、該循環ポンプを動作させることによって前記浴槽内の前記温水を前記脱衣室の前記放熱部へと導入するとともに該放熱部に導入した前記温水を前記給排水手段に戻して該給排水手段と前記放熱部との間で前記温水を循環させることを特徴とする。
【００１１】
請求項３に記載の脱衣室床暖房システムは、請求項１に記載の脱衣室床暖房システムにおいて、前記放熱部は循環ポンプを備える床暖房装置の一部であり、該循環ポンプを動作させることによって前記浴槽内の前記温水を前記床暖房装置の前記放熱部へと導入するとともに該放熱部に導入した前記温水を前記給排水手段に戻して該給排水手段と前記放熱部との間で前記温水を循環させることを特徴とする。
【００１２】
請求項４に記載の脱衣室床暖房システムは、請求項１に記載の脱衣室床暖房システムにおいて、前記温水を供給する給湯装置を備え、前記給湯装置に内蔵された循環ポンプを動作させることによって、前記浴槽内の前記温水を前記給排水手段を用いて前記脱衣室の前記放熱部へと導入するとともに該放熱部に導入された前記温水を前記給排水手段から該給湯装置へ戻し、該給湯装置と前記放熱部との間で前記温水を循環させることを特徴とする。
【００１３】
請求項５に記載の脱衣室床暖房システムは、請求項１乃至４のいずれかに記載の脱衣室床暖房システムにおいて、前記給排水手段は、前記給湯装置と前記浴槽とを連通する浴槽側給排水部と、前記温水を前記脱衣室の前記放熱部に供給する放熱部側給排水部とを備え、前記放熱部側給排水部は、前記浴槽側給排水部の管路の一部に切換弁を介して接続されていることを特徴とする。
【発明の効果】
【００１４】
請求項１に記載の脱衣室床暖房システムでは、前記浴室近傍の脱衣室に設けられて該脱衣室の床を暖房する前記放熱部に、前記浴槽内の温水を前記給排水手段を介して導入することができる。このため、入浴後の浴槽内の残り湯としての温水を前記脱衣室の床に設けられた前記放熱部に供給し、この残り湯の余熱で前記脱衣室を暖房するので、浴槽内の残り湯の有効利用を図ることができるとともに、簡易な構成によりヒートショックを効果的且つローコストで緩和することが可能な脱衣室床暖房システムを提供することができる。
【００１５】
請求項２に記載の脱衣室床暖房システムでは、給排水手段の管路の一部に設けられた循環ポンプを動作させることによって前記浴槽内の前記温水を前記脱衣室の前記放熱部へと導入するとともに該放熱部に導入した前記温水を前記給排水手段に戻して該給排水手段と前記放熱部との間で前記温水を循環させることができるので、給湯装置等を作動させてその内蔵の循環ポンプを別途動作させる必要がない。そのため簡易な構成によりヒートショックを効果的且つローコストで緩和することが可能な脱衣室床暖房システムを提供することができる。
【００１６】
請求項３に記載の脱衣室床暖房システムでは、前記放熱部は循環ポンプを備える床暖房装置の一部であり、該循環ポンプを動作させることによって前記浴槽内の前記温水を前記床暖房装置の前記放熱部へと導入するとともに該放熱部に導入した前記温水を前記給排水手段に戻して該給排水手段と前記放熱部との間で前記温水を循環させることができるので、給排水手段等に循環ポンプを設置したり、給湯装置等を作動させてその内蔵の循環ポンプを別途動作させたりする必要がない。そのため簡易な構成によりヒートショックを効果的且つローコストで緩和することが可能な脱衣室床暖房システムを提供することができる。
【００１７】
請求項４に記載の脱衣室床暖房システムでは、前記給湯装置に内蔵された循環ポンプを動作させることによって、前記浴槽内の前記温水を前記給排水手段を用いて前記脱衣室の前記放熱部へと導入するとともに該放熱部に導入された前記温水を前記給排水手段から該給湯装置へ戻し、該給湯装置と前記放熱部との間で前記温水を循環させることができるので、給排水手段や放熱部に循環ポンプを設置する必要がなく、給湯装置という既存の設備を利用して残り湯としての温水を放熱部に導入することができる。
【００１８】
請求項５に記載の脱衣室床暖房システムでは、前記放熱部側給排水部は、前記浴槽側給排水部の管路の一部に切換弁を介して接続されているので、放熱部側給排水部を浴槽側給排水部に切換弁を介して接続するだけで浴槽内の残り湯としての温水を放熱部に導入・循環させることができる。すなわち、既設の浴槽側給排水部を利用できるので、設備コストを抑えることができる。
【００１９】
このように、本発明に係る脱衣室床暖房システムでは、前記浴室近傍の脱衣室に設けられて該脱衣室の床を暖房する前記放熱部に、前記浴槽内の残り湯としての温水を前記給排水手段を介して導入することができる。すなわち、入浴後の浴槽内の残り湯を脱衣室の床に設けられた放熱部に供給し、この残り湯の余熱で脱衣室を暖房することによって、浴槽内の残り湯の有効利用を図ることができるとともに、簡易な構成によりヒートショックを効果的且つローコストで緩和することが可能な脱衣室床暖房システムを提供することができる。
【発明を実施するための最良の形態】
【００２０】
本発明の脱衣室床暖房システムは、入浴後の浴槽内の残り湯を給排水手段を介して脱衣室の床に設けられた放熱部に供給し、この残り湯の余熱で脱衣室を暖房する点に特徴がある。以下、本発明を図１ないし図６に示した実施例に沿って詳細に説明する。
【実施例１】
【００２１】
図１は、本発明の第１実施例に係る脱衣室床暖房システムの全体の構成を説明する模式図である。図２は、図１に示す本発明の第１実施例に係る脱衣室床暖房システムを上方から見た模式図である。
【００２２】
本発明に係る脱衣室床暖房システム１００は、浴室１０に設けられた浴槽３０と、その浴槽３０に入浴用の温水を供給する給湯装置６０と、脱衣室２０の床に設置された放熱部４０と、制御部８０とを備える。さらに、脱衣室床暖房システム１００は、浴槽３０内の温水を給排水する給排水手段５０として、給湯装置６０と浴槽３０とを連通する浴槽側給排水部５２と、浴槽３０内の入浴用温水を入浴使用した後の残り湯としての温水を、脱衣室２０の放熱部４０に導入するための放熱部側給排水部５４とを備える。
【００２３】
給湯装置６０は、熱源器６２、温度センサ６４、循環ポンプ６６等を内蔵した一般的な給湯機であり、必須ではないが追い焚き運転を行うことができる給湯機であることが望ましい。この給湯装置６０は、図示しない上水管から給水された水を熱源器６２で加熱し、この加熱した入浴用温水を給排水手段５０としての浴槽側給排水部５２の給水管５２ａを介して浴室１０の浴槽３０内へと供給する。また、給湯装置６０は、循環ポンプ６６を駆動して浴槽３０内の入浴用温水を浴槽側給排水部５２の排水管５２ｂを介して該給湯装置６０へと導入し、導入した入浴用温水を再度熱源器６２で加熱して、浴槽側給排水部５２の給水管５２ａを介して浴槽３０内へと供給することで、追い焚き運転を行う。
【００２４】
脱衣室２０の床に設けられた放熱部４０は、放熱部側給排水部５４から浴槽３０内の残り湯としての温水を導入し、この温水を熱媒として脱衣室２０を暖房する。詳細には、放熱部４０は、放熱部側給排水部５４の給水管５４ａと排水管５４ｂとに接続され、この浴槽３０の温水の放熱部４０への往き側としての給水管５４ａから該温水の供給を受け、放熱部４０において熱媒として使用した温水を、該放熱部４０からの温水の戻り側としての排水管５４ｂに戻す。また、放熱部４０は、図示しない排水溝等に接続され暖房に使用した温水を排水するための排水口４２を有する。
【００２５】
この脱衣室２０の床に設置された放熱部４０は、例えば放熱部側給排水部５４の給水管５４ａから供給された温水を内蔵の架橋ポリエチレン管やポリブテン管等の樹脂系または特殊ゴム系の配管に流通させ、さらにその配管を蓄熱体としてのコンクリート内に埋設させたり、そのような配管の上部に熱伝導率の高い銅やアルミニウム等の金属板を配置したり、フィン状の金属製の突起物を当該配管に設けたりして、浴槽３０の温水を熱媒として輻射熱および導電熱により脱衣室２０の床や室内を暖房する。
【００２６】
給排水手段５０としてその放熱部４０に温水を供給する放熱部側給排水部５４は、浴槽側給排水部５２の管路の一部にソレノイドバルブ等の切換弁７０（７０ａ、７０ｂ）を介して接続されている。
【００２７】
その放熱部側給排水部５４と浴槽側給排水部５２との接続において、本実施例では放熱部側給排水部５４の温水の往き側である給水管５４ａは、切換弁７０ａを介して浴槽側給排水部５２の給水管５２ａに接続されており、且つ放熱部側給排水部の温水の戻り側である排水管５４ｂは、放熱部側給排水部５４の排水管５４ｂを切換弁７０ｂを介して浴槽側給排水部５２の排水管５２ｂに接続されている。
【００２８】
このような放熱部側給排水部５４と浴槽側給排水部５２との接続形態において、給湯装置６０に内蔵の循環ポンプ６６を用いることにより、浴槽３０内の残り湯としての温水が給排水手段５０を介して放熱部４０に供給されるとともに、適切な量の温水が導入された際に給排水手段５０を介して給湯装置６０と放熱部４０との間で温水の循環運転ができるように切換弁７０ａ、７０ｂを切り換えることで、該給湯装置６０と放熱部４０との間での温水の循環運転が行われるように構成されている。
【００２９】
制御部８０は、循環ポンプ６６を含めた給湯装置６０の運転、給排水手段５０の切換弁７０ａおよび７０ｂの切換え動作等の各種制御を行い、それらを脱衣室床暖房システム１００として一体的に動作させる。
【００３０】
好ましくは制御部８０は、図示しないタッチパネル式の表示部やボタン類を有する操作盤に接続されて脱衣室２０や浴室１０等に設置され、例えば、入浴者がこの操作盤を操作することによって、入浴者が浴槽３０内の残り湯としての温水を放熱部４０に供給して脱衣室２０の暖房を行う床暖房運転を行い得るように構成されている。この制御部８０は、必須ではないがその他にも給湯装置６０から浴槽３０に供給する入浴用温水の温度や給湯量、給湯開始時刻の設定機能や追い焚き機能等の一般的な給湯システムとしての機能を備える。
【００３１】
また、制御部８０は脱衣室２０において適切な暖房効果が得られるよう、例えば次のような各種の制御を行う。
【００３２】
仮に浴槽３０内の残り湯の温度が１８℃であった場合、このような低温の残り湯を脱衣室２０の放熱部４０に供給しても脱衣室２０の暖房効果は得られず、無意味である。
【００３３】
そのため制御部８０は、給湯装置６０に内蔵の温度センサ６４によって給湯装置６０に導入した残り湯の温度を検出し、検知された浴槽３０の残り湯の温度が所定の温度以上（例えば３０℃以上）である場合、制御部８０は給湯装置６０に内蔵の循環ポンプ６６を駆動して浴槽３０の残り湯を脱衣室２０の放熱部４０に導き、残り湯の温度が該所定の温度以下である場合は、浴槽３０から残り湯を放熱部４０へと導入する運転を実行しない。
【００３４】
あるいは、制御部８０は、温度センサ６４によって検出された残り湯の温度が上記所定の温度以上である場合は、給湯装置６０に内蔵の循環ポンプ６６を動作させて浴槽３０の残り湯を脱衣室２０の放熱部４０へと導き、温度センサ６４によって検出された残り湯の温度が所定の温度以下である場合は、給湯装置６０に内蔵の熱源器６２をさらに動作させて給湯装置６０に導入した残り湯を加熱し、加熱した残り湯を脱衣室２０の放熱部４０へと供給する制御を行う。
【００３５】
さらに、制御部８０は、温度センサ６４によって検出された浴槽３０の残り湯の温度が予め設定された温度となった場合、自動的に給湯装置６０の循環ポンプ６６を動作させて浴槽内の残り湯を脱衣室２０の放熱部４０へと導く運転を行う。
【００３６】
具体的に、上記予め設定された温度が２０℃であり、温度センサ６４によって検出される浴槽３０内の温水の温度が２０℃に低下すると、その浴槽３０の温水は放置されていて、もはや入浴には使用されないと判断できるので、制御部８０は給湯装置６０の循環ポンプ６６を動作させて浴槽内の残り湯を脱衣室２０の放熱部４０へと自動的に導くとともに、残り湯の循環運転を行う。
【００３７】
なお、この自動循環運転は、浴槽３０の温水がもはや入浴に使用されないと判断できる温度、例えば予め設定された温度の２０℃にまで低下した場合に実行されることから、適宜給湯装置６０に内蔵の熱源器６２を用いて残り湯を加熱してから放熱部４０に供給する。
【００３８】
本実施例では、給湯装置６０に内蔵の温度センサ６４を用いて浴槽３０内の残り湯の温度を検知するようにしたが、そのような残り湯の温度を検出するための温度センサを浴槽側給排水部５２や放熱部４０に設け、該温度センサにより残り湯の温度を検出してもよい。
【００３９】
次に、この実施例１の作用効果について説明する。
【００４０】
図３に示すように、放熱部側給排水部５４の給水管５４ａを、切換弁７０ａを介して浴槽側給排水部５２の給水管５２ａに接続し、放熱部側給排水部５４の排水管５４ｂを切換弁７０ｂを介して浴槽側給排水部５２の排水管５２ｂに接続した場合、給湯装置６０の循環ポンプ６６を用いた給湯装置６０と放熱部４０との間の残り湯の循環運転は、次のように行われる。
【００４１】
まず、給湯装置６０の循環ポンプ６６を駆動すると、浴槽３０内の残り湯としての温水は浴槽側給排水部５２の排水管５２ｂに導入される。この時、該排水管５２ｂ上の切換弁７０ｂは導入された浴槽３０の温水が排水管５２ｂ内を直進して給湯装置６０に流通するように予め切換えられており、排水管５２ｂに導入された温水は給湯装置６０に導入される。
【００４２】
給湯装置６０に導入された温水は給湯装置６０内の追い焚き用の流水回路（図示せず）を経て給湯装置６０から浴槽側給排水部５２の給水管５２ａに供給される。この時、該給水管５２ａの管路上の切換弁７０ａは、給湯装置６０から供給されて給水管５２ａ内を流通する温水が放熱部側給排水部５４の給水管５４ａに案内されるように予め切換えられているため、給湯装置６０からの温水は浴槽３０には流通せず切換弁７０ａに接続された放熱部側給排水部５４の給水管５４ａを介して放熱部４０へと供給される。
【００４３】
そして、放熱部４０に供給された温水は放熱部４０で暖房用の熱媒として利用された後、放熱部側給排水部５４の排水管５４ｂに流通する。この時、該排水管５４ｂが接続された浴槽側給排水部５２の排水管５２ｂの管路上の切換弁７０ｂは、放熱部側給排水部５４の排水管５４ｂからの温水を給湯装置６０に案内するように切換えられており、放熱部４０からの温水は給湯装置６０へと戻されることになる。
【００４４】
この給湯装置６０に戻された放熱部４０からの温水を、再び給湯装置６０内の追い焚き用の流水回路を経て浴槽側給排水部５２の給水管５２ａに供給し、その温水を該給水管５２ａの管路上の切換弁７０ａにより放熱部側給排水部５４の給水管５４ａに案内して給水管５４ａを介して放熱部４０へと供給することによって、給湯装置６０の循環ポンプ６６を用いた給湯装置６０と放熱部４０との間の給排水手段５０を介する浴槽３０の温水の循環運転を行うことができる。
【００４５】
以上のように、本実施例に係る本発明の構成では、給湯装置６０の循環ポンプ６６を利用し、放熱部側給排水部５４を、給湯装置６０と浴槽３０との間の連通管としての浴槽側給排水部５２に切換弁７０を介して接続するという既存の設備類を流用した簡易な構成により、浴槽３０の残り湯としての温水を放熱部４０に導入・循環させることが可能である。そのため、浴槽３０内の残り湯の有効利用を図ることができるとともに、簡易な構成によりヒートショックを効果的且つローコストで緩和することが可能な脱衣室床暖房システム１００を提供することができる。
【００４６】
また、この放熱部側給排水部５４の温水の往き側である給水管５４ａは、浴槽側給排水部５２の給水管５２ａおよび排水管５２ｂの一方の管路の一部に切換弁７０ａを介して接続されており、且つ放熱部側給排水部５４の温水の戻り側である排水管５４ｂは、浴槽側給排水部５２の給水管５２ａおよび排水管５２ｂの他方の管路の一部に切換弁７０ｂを介して接続されている。すなわち本実施例では、放熱部側給排水部５４の給水管５４ａを切換弁７０ａを介して浴槽側給排水部５２の給水管５２ａに接続し、放熱部側給排水部５４の排水管５４ｂを切換弁７０ｂを介して浴槽側給排水部５２の排水管５２ｂに接続されているので、放熱部側給排水部５４を浴槽側給排水部５２に切換弁７０ａ、７０ｂを介して接続するだけで浴槽内の残り湯としての温水を放熱部４０に導入・循環させることができる。このため、既設の浴槽側給排水部５２を利用できるので、設備コストを抑えることができる。
【００４７】
また、温度センサ６４によって検知された浴槽３０の残り湯の温度が所定の温度以上である場合、制御部８０は給湯装置６０に内蔵の循環ポンプ６６を駆動して浴槽３０の残り湯を脱衣室２０の放熱部４０に導き、残り湯の温度が該所定の温度以下である場合は、浴槽３０から残り湯を放熱部４０へと導入する運転を停止させることができるので、該所定の温度以下の温水が放熱部４０へ導入されることを防止することができる。そのため、ヒートショックをより効果的に緩和することができる。
【００４８】
さらに、温度センサ６４によって検知された浴槽３０の残り湯の温度が所定の温度以下である場合は、給湯装置６０に内蔵の熱源器６２をさらに動作させて給湯装置６０に導入した残り湯を加熱し、加熱した残り湯を脱衣室２０の放熱部４０へと供給する制御を行うことができる。このため、給湯装置６０という既存の設備を利用して残り湯としての温水を加熱することができる。しかも、たとえ浴槽３０の残り湯の温度が低下していてそのままその温水を放熱部４０に供給したのでは暖房用の温水として不適当であるとしても、給湯装置６０に導入した残り湯を熱源器６２で加熱して放熱部４０に供給するので、常に適切な温度の温水を放熱部４０へ供給することができ、ヒートショックをより効果的に緩和することができる。
【００４９】
その上、温度センサ６４によって検出される浴槽３０内の温水の温度が予め設定された温度となった場合、制御部８０は給湯装置６０の循環ポンプ６６を動作させて浴槽内の残り湯を脱衣室２０の放熱部４０へと自動的に導くとともに、残り湯の循環運転を行うことができる。このため浴槽３０内の温水の温度が予め設定された温度となると、自動的に残り湯が放熱部４０に導かれて循環運転が開始されるので、入浴者は制御部８０の操作盤を逐一操作して残り湯による床暖房運転を実行する必要がなく、利便性を向上させることができる。
【実施例２】
【００５０】
次に、本発明に係る脱衣室床暖房システムの実施例２を、図４および図５を参照して説明する。なお、上述の実施例と同一乃至均等な部分については本実施例では同一符号を付してその説明を省略する。
【００５１】
図４は、本発明の第２実施例に係る脱衣室床暖房システムの全体の構成を説明する模式図である。
【００５２】
本実施例の放熱部側給排水部５４は、その管路の一部に循環ポンプ５６と、該放熱部側給排水部５４に導入した浴槽３０内の残り湯としての温水を加熱するための熱源器５８とを備える。また、放熱部側給排水部５４の管路の一部には、浴槽３０の残り湯の温度を検知するための温度センサ９０が設けられている。
【００５３】
さらに、本実施例では、上記の実施例１とは別の放熱部側給排水部５４と浴槽側給排水部５２との接続形態として、放熱部側給排水部５４の給水管５４ａを、切換弁７０ａを介して浴槽側給排水部５２の排水管５２ｂの下流側に接続し、放熱部側給排水部５４の排水管５４ｂを同様に切換弁７０ｂを介して浴槽側給排水部５２の排水管５２ｂの上流側に接続している。
【００５４】
このような放熱部側給排水部５４と浴槽側給排水部５２との接続形態において、放熱部側給排水部５４の管路上の循環ポンプ５６を用いることにより、浴槽３０内の残り湯としての温水が放熱部４０に供給されるとともに、適切な量の温水が導入された際に放熱部側給排水部５４と放熱部４０との間で温水の循環運転ができるように切換弁７０を切り換えることで、放熱部側給排水部５４と放熱部４０との間で温水の循環運転が行われるように構成されている。
【００５５】
制御部８０は、温度センサ９０によって検知された浴槽３０の残り湯の温度が所定の温度以上（例えば３０℃以上）である場合、放熱部側給排水部５４に設けられた循環ポンプ５６を駆動して浴槽３０の残り湯を脱衣室２０の放熱部４０に導き、残り湯の温度が該所定の温度以下である場合は、浴槽３０から残り湯を放熱部４０へと導入する運転を実行しない。
【００５６】
あるいは、制御部８０は、温度センサ９０によって検出された残り湯の温度が上記のような所定の温度以上である場合は、放熱部側給排水部５４の循環ポンプ５６を動作させて浴槽３０の残り湯を脱衣室２０の放熱部４０へと導き、温度センサ９０によって検出された残り湯の温度が所定の温度以下である場合は、放熱部側給排水部５４に設けられた熱源器５８をさらに動作させて放熱部側給排水部５４に導入した残り湯を加熱し、加熱した残り湯を脱衣室２０の放熱部４０へと供給する制御を行う。
【００５７】
さらに、制御部８０は、温度センサ９０によって検出された浴槽３０の残り湯の温度が予め設定された温度となった場合、自動的に放熱部側給排水部５４の循環ポンプ５６を動作させて浴槽内の残り湯を脱衣室２０の放熱部４０へと導く運転を行う。すなわち、上記予め設定された温度が２０℃であり、温度センサ９０によって検出される浴槽３０内の温水の温度が２０℃に低下すると、制御部８０は放熱部側給排水部５４の循環ポンプ５６を動作させて浴槽内の残り湯を脱衣室２０の放熱部４０へと自動的に導くとともに、残り湯の循環運転を行う。この際、必要であれば制御部８０は、放熱部側給排水部５４に設けられた熱源器５８を動作させて放熱部側給排水部５４に導入した残り湯を加熱し、加熱した残り湯を脱衣室２０の放熱部４０へと供給する。
【００５８】
なお、本実施例では、放熱部側給排水部５４に設けられた温度センサ９０を用いて残り湯の温度を検知するようにしたが、該温度センサ９０を浴槽側給排水部５２や放熱部４０に設けて残り湯の温度を検出してもよい。
【００５９】
次に、この実施例２の作用効果について説明する。
【００６０】
図５に示すように、放熱部側給排水部５４の給水管５４ａを、切換弁７０ａを介して浴槽側給排水部５２の排水管５２ｂの下流側に接続し、放熱部側給排水部５４の排水管５４ｂを同様に切換弁７０ｂを介して浴槽側給排水部５２の排水管５２ｂの上流側に接続した場合、放熱部側給排水部５４に設けられた循環ポンプ５６を用いた放熱部側給排水部５４と放熱部４０との間の残り湯の循環運転は、次のように行われる。
【００６１】
まず、放熱部側給排水部５４の循環ポンプ５６が駆動されるが、この時、浴槽側給排水部５２の排水管５２ｂの上流側の切換弁７０ｂは浴槽３０から排水管５２ｂに導入された残り湯としての温水が排水管５２ｂ内を直進して流通するように予め切換えられており、他方、排水管５２ｂの下流側の切換弁７０ａは切換弁７０ｂを直進して流通した温水が放熱部側給排水部５４の給水管５４ａに案内されるように予め切換えられている。
【００６２】
そのため、放熱部側給排水部５４の循環ポンプ５６を駆動すると、はじめに浴槽３０内の残り湯としての温水は浴槽側給排水部５２の排水管５２ｂに導入され、該排水管５２ｂに導入された温水は、そのまま排水管５２ｂの上流の切換弁７０ｂを直進するとともに排水管５２ｂの下流の切換弁７０ａへと流通する。その切換弁７０ａは、排水管５２ｂの上流の切換弁７０ｂを直進した温水を放熱部側給排水部５４の給水管５４ａに案内して、該温水を給水管５４ａを介して放熱部４０に供給する。
【００６３】
そして、放熱部４０に供給された温水は放熱部４０で暖房用の熱媒として利用された後、放熱部側給排水部５４の排水管５４ｂに流通する。この時、排水管５２ｂの上流の切換弁７０ｂは、放熱部側給排水部５４の排水管５４ｂからの温水が排水管５２ｂの下流、すなわち切換弁７０ａの方に案内されるよう予め切換えられており、排水管５４ｂを介して放熱部４０から流通した温水は、浴槽側給排水部５２の排水管５２ｂの下流側の切換弁７０ａに流通することとなる。
【００６４】
一方、該切換弁７０ａは依然として切換弁７０ｂを介して排水管５２ｂを流れる温水を放熱部側給排水部５４の給水管５４ａに案内するように切換えられているため、放熱部側給排水部５４の排水管５４ｂから流通した温水は、再び放熱部側給排水部５４の給水管５４ａを介して放熱部４０へと導入される。
【００６５】
このように、放熱部側給排水部５４に設けられた循環ポンプ５６を用いることによって、放熱部側給排水部５４と放熱部４０との間で残り湯の循環運転を行うことができる。
【００６６】
以上のように、本発明の実施例２に係る構成では、循環ポンプ５６が設けられた放熱部側給排水部５４を、既存の設備としての給湯装置６０と浴槽３０との間の浴槽側給排水部５２に切換弁７０を介して接続して、該循環ポンプ５６を駆動するという簡易な構成で浴槽３０の残り湯としての温水を放熱部４０に導入・循環させることが可能である。そのため、この構成では給湯装置６０を別途動作させる必要はなく、単純に循環ポンプ５６が設けられた放熱部側給排水部５４を切換弁７０を介して浴槽側給排水部５２に接続するだけで、残り湯としての温水を放熱部４０に導入・循環させることができるので、簡易な構成によりヒートショックを効果的且つローコストで緩和することが可能である。
【００６７】
また、この実施例２では、浴槽側給排水部５２の給水管５２ａおよび排水管５２ｂのいずれか一方の管路の一部に、放熱部側給排水部５４の給水管５４ａと排水管５４ｂとがそれぞれ切換弁７０ａ、７０ｂを介して接続されている。すなわち本実施例では、放熱部側給排水部５４の給水管５４ａを切換弁７０ａを介して浴槽側給排水部５２の排水管５２ｂの下流側に接続し、放熱部側給排水部５４の排水管５４ｂを同様に切換弁７０ｂを介して浴槽側給排水部５２の排水管５２ｂの上流側に接続するだけで浴槽内の残り湯としての温水を放熱部４０に導入・循環させることができる。このため、既設の浴槽側給排水部５２を利用できるので、設備コストを抑えることができる。
【００６８】
さらに、温度センサ９０によって検知された浴槽３０の残り湯の温度が所定の温度以下である場合は、放熱部側給排水部５４に設けられた熱源器５８をさらに動作させて放熱部側給排水部５４に導入した残り湯を加熱し、加熱した残り湯を脱衣室２０の放熱部４０へと供給することができる。このため、単純に放熱部側給排水部５４を切換弁７０を介して浴槽側給排水部５２に接続するだけで、残り湯としての温水を放熱部４０に導入・循環させることができるとともに、たとえ浴槽３０の残り湯の温度が低下していてそのままその温水を放熱部４０に供給したのでは暖房用の温水として不適当であるとしても、残り湯を放熱部側給排水部５４の熱源器５８で加熱して放熱部４０に供給するので、常に適切な温度の温水を放熱部４０へ供給することができる。したがって、ヒートショックをより効果的に緩和することができる。
【００６９】
なお、この構成では給湯装置６０を動作させる必要がないため、放熱部側給排水部５４を浴槽側給排水部５２に接続せずに、放熱部側給排水部５４を浴槽３０内に直接接続して浴槽３０の残り湯をそのまま放熱部４０に導入する構成を採用することもできる。この場合では、浴槽側給排水部５２を介さないで直接、放熱部側給排水部５４を浴槽３０に接続するので、例えば、追い焚き機能を有さず単に入浴用の温水を蛇口から浴槽３０へと供給する給湯装置６０を備えた一般家庭や銭湯等の浴室においても、浴槽３０の残り湯を脱衣室２０の放熱部４０に導入することができる。
【実施例３】
【００７０】
以下、本発明に係る脱衣室床暖房システムの実施例３を、図６を参照して説明する。なお、上述の実施例と同一乃至均等な部分については本実施例でも同一符号を付してその説明を省略する。
【００７１】
図６は、本発明の第３実施例に係る脱衣室床暖房システムの全体の構成を説明する模式図である。
【００７２】
本実施例において放熱部４０は、循環ポンプ４４、熱源器４６、温度センサ９０等を具備する床暖房装置４００の一部として該床暖房装置４００に内蔵され、このような床暖房装置４００を脱衣室２０の床に配設している。
【００７３】
この床暖房装置４００は、上記実施例の放熱部４０と同様、放熱部側給排水部５４の給水管５４ａと排水管５４ｂとに接続されて、この給水管５４ａから浴槽３０の残り湯の供給を受け、内蔵の放熱部４０において熱媒として使用した温水を、排水管５４ｂに戻すようになっている。
【００７４】
また、床暖房装置４００では、該床暖房装置４００に接続された放熱部側給排水部５４の給水管５４ａと排水管５４ｂとを、放熱部側給排水部５４の給水管５４ａを切換弁７０ａを介して浴槽側給排水部５２の排水管５２ｂの下流側に接続し、放熱部側給排水部５４の排水管５４ｂを同様に切換弁７０ｂを介して浴槽側給排水部５２の排水管５２ｂの上流側に接続している。この接続形態において床暖房装置４００に内蔵の循環ポンプ４４を駆動し、且つ適切な量の温水が導入された際に放熱部側給排水部５４と放熱部４０との間で温水の循環運転ができるように切換弁７０を切り換えることで、浴槽３０の残り湯が放熱部４０に導入・循環されるように構成されている。
【００７５】
制御部８０は、床暖房装置４００に設けられた温度センサによって検知された浴槽３０の残り湯の温度が所定の温度以上（例えば３０℃以上）である場合、床暖房装置４００に内蔵の循環ポンプ４４を駆動して浴槽３０の残り湯を脱衣室２０に設けられた床暖房装置４００に内蔵の放熱部４０に導き、残り湯の温度が該所定の温度以下である場合は、浴槽３０から残り湯を放熱部４０へと導入する運転を実行しない。
【００７６】
あるいは、制御部８０は、温度センサ９０によって検出された残り湯の温度が所定の温度以下である場合は、床暖房装置４００に内蔵の熱源器４６をさらに動作させて導入された残り湯を加熱し、加熱した残り湯を床暖房装置４００の放熱部４０へと供給する制御を行う。
【００７７】
さらに、制御部８０は、温度センサ９０によって検出された浴槽３０の残り湯の温度が予め設定された温度となった場合、自動的に床暖房装置４００の循環ポンプ４４を動作させて浴槽内の残り湯を、床暖房装置４００の放熱部４０へと導く運転を行う。この際、必要であれば制御部８０は、床暖房装置４００の熱源器４６を動作させて導入した残り湯を加熱し、加熱した残り湯を脱衣室２０の放熱部４０へと供給する。
【００７８】
なお、この実施例では、床暖房装置４００に内蔵の温度センサ９０を用いて残り湯の温度を検知するようにしたが、該温度センサ９０を浴槽側給排水部５２や放熱部側給排水部５４に設けて残り湯の温度を検出してもよい。
【００７９】
次に、この実施例３の作用効果について説明する。
【００８０】
まず、床暖房装置４００に内蔵の循環ポンプ４４が駆動される。この時、浴槽側給排水部５２の排水管５２ｂの上流側の切換弁７０ｂは浴槽３０から排水管５２ｂに導入された残り湯としての温水が排水管５２ｂ内を直進して流通するように予め切換えられており、他方、排水管５２ｂの下流側の切換弁７０ａは切換弁７０ｂを直進して流通した温水が放熱部側給排水部５４の給水管５４ａに案内されるように予め切換えられている。
【００８１】
そのため、床暖房装置４００の循環ポンプ４４を駆動すると、はじめに浴槽３０内の残り湯としての温水は浴槽側給排水部５２の排水管５２ｂに導入され、該排水管５２ｂに導入された温水は、そのまま排水管５２ｂの上流の切換弁７０ｂを直進するとともに排水管５２ｂの下流の切換弁７０ａへと流通する。その切換弁７０ａは、排水管５２ｂの上流の切換弁７０ｂを直進した温水を放熱部側給排水部５４の給水管５４ａに案内して、該温水を給水管５４ａを介して床暖房装置４００に内蔵の放熱部４０に供給する。
【００８２】
そして、床暖房装置４００の放熱部４０に供給された温水は、その放熱部４０で暖房用の熱媒として利用された後、放熱部側給排水部５４の排水管５４ｂに流通する。この時、排水管５２ｂの上流の切換弁７０ｂは、放熱部側給排水部５４の排水管５４ｂからの温水が排水管５２ｂの下流、すなわち切換弁７０ａの方に案内されるよう予め切換えられており、排水管５４ｂを介して放熱部４０から流通した温水は、浴槽側給排水部５２の排水管５２ｂの下流側の切換弁７０ａに流通することとなる。
【００８３】
一方、該切換弁７０ａは依然として切換弁７０ｂを介して排水管５２ｂを流れる温水を放熱部側給排水部５４の給水管５４ａに案内するように切換えられているため、放熱部側給排水部５４の排水管５４ｂから流通した温水は、再び放熱部側給排水部５４の給水管５４ａを介して床暖房装置４００へと導入される。
【００８４】
このように、本発明の実施例３に係る構成では、給湯装置６０の循環ポンプ６６を用いるために給湯装置６０を動作させたり、放熱部側給排水部５４に循環ポンプ５６を別途設置したりする必要がない。
【００８５】
このため、単純に床暖房装置４００を脱衣室２０の床に設置し、放熱部側給排水部５４を接続するとともに該放熱部側給排水部５４を既存の設備としての給湯装置６０と浴槽３０との間の浴槽側給排水部５２に接続すればよいので、簡易な構成により浴槽３０の温水を放熱部４０に循環させることができるとともに、ヒートショックを効果的且つローコストで緩和することが可能である。
【００８６】
なお、上述の実施形態は本発明の好適な実施の一例ではあるが、これに限定されるものではなく、本発明の要旨を逸脱しない範囲において種々変形実施可能であるのは勿論である。
【００８７】
例えば、放熱部側給排水部５４を切換弁７０を介して浴槽側給排水部５２に接続せず、放熱部側給排水部５４を直接給湯装置６０の内部の追い焚き用の流水回路（図示せず）に切換え弁７０を介して直接接続するような構成を採ってもよい。この場合でも、給湯装置６０の循環ポンプ６６を用いて浴槽３０の残り湯としての温水を給排水手段５０を介して給湯装置６０と放熱部４０との間で循環させることができる。
【００８８】
また、上述の実施例では浴槽側給排水部５２の給水管５２ａおよび排水管５２ｂと、放熱部側給排水部５４の給水管５４ａおよび排水管５４ｂとの特定の接続形態が示されているが、これらに限定されるものではなく、浴槽３０の温水が放熱部４０に導入可能であって該温水を循環させることが可能であれば、あらゆる接続形態を採用することができる。例えば、上記実施例２では、放熱部側給排水部５４の給水管５４ａを、切換弁７０ａを介して浴槽側給排水部５２の排水管５２ｂの下流側に接続し、放熱部側給排水部５４の排水管５４ｂを同様に切換弁７０ｂを介して浴槽側給排水部５２の排水管５２ｂの上流側に接続しているが、放熱部側給排水部５４の給水管５４ａを、切換弁７０ａを介して浴槽側給排水部５２の給水管５２ａの下流側に接続し、放熱部側給排水部５４の排水管５４ｂを同様に切換弁７０ｂを介して浴槽側給排水部５２の給水管５２ａの上流側に接続してもよい。この構成でも、残り湯の循環運転を行うことができる。
【００８９】
さらに、放熱部４０および床暖房装置４００は、電熱ヒータや別系統の温水ヒータを内蔵して放熱部４０とそれとを併用して脱衣室２０を暖房するようにしてもよい。また、この電熱ヒータを上記床暖房装置４００に内蔵の熱源器４６として利用してもよい。
【図面の簡単な説明】
【００９０】
【図１】本発明の第１実施例に係る脱衣室床暖房システムの全体の構成を説明する模式図である。
【図２】図１に示す本発明の第１実施例に係る脱衣室床暖房システムを上方から見た模式図である。
【図３】本発明の第１実施例に係る浴槽側給排水部と放熱部側給排水部との接続形態の要部を示す模式図である。
【図４】本発明の第２実施例に係る脱衣室床暖房システムの全体の構成を説明する模式図である。
【図５】本発明の第２実施例に係る浴槽側給排水部と放熱部側給排水部との接続形態の要部を示す模式図である。
【図６】本発明の第３実施例に係る脱衣室床暖房システムの全体の構成を説明する模式図である。
【符号の説明】
【００９１】
１０    浴室    
２０    脱衣室
３０    浴槽
４０    放熱部
４４    循環ポンプ
４６    熱源器
５０    給排水手段
５２    浴槽側給排水部
５２ａ  給水管
５２ｂ  排水管
５４    放熱部側給排水部
５４ａ  給水管
５４ｂ  排水管
５６    循環ポンプ
５８    熱源器
６０    給湯装置
６２    熱源器
６４    温度センサ
６６    循環ポンプ
７０ａ、７０ｂ    切換弁
８０    制御部
９０    温度センサ
１００  脱衣室床暖房システム
４００  床暖房装置
【図１】
2006308201.tif 000003
【図２】
2006308201.tif 000004
【図３】
2006308201.tif 000005
【図４】
2006308201.tif 000006
【図５】
2006308201.tif 000007
【図６】
2006308201.tif 000008